(57)【要約】【課題】飛行効率を向上し得る回転翼機を提供すること。【解決手段】本発明によるプロペラは、少なくとも1翅の固定ピッチブレードと、少なくとも1翅の可変ピッチブレードを備えている。本発明によるモータ部品は、当該プロペラを回転させるモータを更に備えている。本発明による飛行体は、当該モータ部品と、当該モータ部品を支持するフレームと、当該モータ部品を制御するための制御部を備えている。かかる構成によれば、飛行体の飛行効率を向上し得る。【選択図】図１
2020040664.tif 000002
【特許請求の範囲】
【請求項１】
少なくとも1翅の固定ピッチブレードと、少なくとも1翅の可変ピッチブレードを備えるプロペラ。
【請求項２】
請求項１に記載のプロペラであって、
前記固定ピッチブレードの数と、前記可変ピッチブレードの数とが同一である、
プロペラ。
【請求項３】
請求項１に記載のプロペラであって、
前記固定ピッチブレードの数と、前記可変ピッチブレードの数とが異なる、
プロペラ。
【請求項４】
請求項３に記載のプロペラであって、
前記固定ピッチブレードの数が、前記可変ピッチブレードの数よりも多い、
プロペラ。
【請求項５】
請求項３に記載のプロペラであって、
前記固定ピッチブレードの数が、前記可変ピッチブレードの数よりも少ない、
プロペラ。
【請求項６】
請求項１乃至請求項５のいずれかに記載のプロペラと、当該プロペラを回転させるためのモータとを備えるモータ部品。
【請求項７】
請求項６に記載のモータ部品と、当該モータ部品を支持するフレームと、当該モータ部品を制御するための制御部を備える飛行体。
【請求項８】
請求項７に記載の飛行体であって、
前記制御部は、前記可変ピッチブレードの異常を知らせる異常信号を受信すると、揚力を補うために前記モータの部品の回転数を制御する、
飛行体。
【発明の詳細な説明】
【技術分野】
【０００１】
本発明は、プロペラ、モータ部品及びこれを備えた飛行体に関する。
【背景技術】
【０００２】
近年、様々な用途に利用されるドローン（Ｄｒｏｎｅ）や無人航空機（ＵＡＶ：Ｕｎｍａｎｎｅｄ  Ａｅｒｉａｌ  Ｖｅｈｉｃｌｅ）などの回転翼機（以下、単に「回転翼機」と総称する）を利用した様々なサービスが提供されている。かかる回転翼機のプロペラは、機構の簡素化、低価格化のため、固定ピッチプロペラが採用されている機種が多い。
【０００３】
一方、特許文献１には、複数のスラスタのいずれかに異常が生じても他のスラスタを停止することなく安定した飛行の継続が図られる飛行装置を提供する（例えば、特許文献１参照）。
【先行技術文献】
【特許文献】
【０００４】
【特許文献１】特開２０１８−３０５６８号公報
【発明の概要】
【発明が解決しようとする課題】
【０００５】
特許文献１の飛行装置は、ピッチ変更機構部によってプロペラのピッチが変更される。特に、飛行装置が有する姿勢制御部は、複数のスラスタのうちスラスタで異常が検出されると、正常なスラスタを停止することなく、プロペラのピッチを変更する。これにより、常なスラスタで飛行の継続に必要な推進力を確保しつつ、トルクの不均衡にともなう姿勢の変化が低減されるものである。
【０００６】
しかしながら、可変ピッチプロペラはその機構が複雑であることから固定ピッチプロペラよりも故障率が多く飛行効率が悪い。
【０００７】
そこで、本発明は、飛行効率を向上し得るプロペラ及びそれを用いた飛行体を提供することを一つの目的とする。
【課題を解決するための手段】
【０００８】
本発明によれば、飛行効率を向上し得るプロペラ及びそれを用いた飛行体を提供することができる。
【発明の効果】
【０００９】
本発明によれば、飛行効率を向上し得る回転翼機を提供し得る。
【図面の簡単な説明】
【００１０】
【図１】本発明によるプロペラの上面図である。
【図２】本発明によるプロペラの他の上面図である。
【図３】本発明によるプロペラの更に他の上面図である。
【図４】本発明によるプロペラの更に他の上面図である。
【図５】図１のプロペラを備えた回転翼機の側面図である。
【図６】図５の回転翼機の上面図である。
【図７】本発明による回転翼機の機能ブロック図である。
【発明を実施するための形態】
【００１１】
本発明の実施形態の内容を列記して説明する。本発明の実施の形態によるプロペラ、モータ部品及びこれを備えた飛行体は、以下のような構成を備える。
［項目１］
少なくとも1翅の固定ピッチブレードと、少なくとも1翅の可変ピッチブレードを備えるプロペラ。
［項目２］
項目１に記載のプロペラであって、
前記固定ピッチブレードの数と、前記可変ピッチブレードの数とが同一である、
プロペラ。
［項目３］
項目１に記載のプロペラであって、
前記固定ピッチブレードの数と、前記可変ピッチブレードの数とが異なる、
プロペラ。
［項目４］
項目３に記載のプロペラであって、
前記固定ピッチブレードの数が、前記可変ピッチブレードの数よりも多い、
プロペラ。
［項目５］
項目３に記載のプロペラであって、
前記固定ピッチブレードの数が、前記可変ピッチブレードの数よりも少ない、
プロペラ。
［項目６］
項目１乃至項目５のいずれかに記載のプロペラと、当該プロペラを回転させるためのモータとを備えるモータ部品。
［項目７］
項目６に記載のモータ部品と、当該モータ部品を支持するフレームと、当該モータ部品を制御するための制御部を備える飛行体。
［項目８］
項目７に飛行体であって、
前記制御部は、前記可変ピッチブレードの以上を知らせる異常信号を受信すると、揚力を補うために前記モータの部品の回転数を制御する、
飛行体。
【００１２】
＜本発明による実施の形態の詳細＞
以下、本発明の実施の形態によるプロペラ、モータ部品及びこれを備えた飛行体について、図面を参照しながら説明する。
【００１３】
＜本発明による実施の形態の詳細＞
図２に示されるように、本発明の実施の形態によるプロペラ２は、少なくとも1翅の固定ピッチブレード２０と、少なくとも1翅の可変ピッチブレード３０を備えている。
【００１４】
プロペラ２は、モータ１０からの出力を受けて回転する。プロペラ２が回転することによって、回転翼機２００（図５及び図６参照）を出発地から離陸させ、水平移動させ、目的地に着陸させるための推進力が発生する。なお、プロペラ２は、右方向への回転、停止及び左方向への回転が可能である。
【００１５】
図２乃至図５に示されるように、本発明のプロペラ２が備えるブレードは、２以上の任意の数（例えば、２、３、４、またはそれ以上のブレード）でよい。羽根の形状は、平らな形状、曲がった形状、よじれた形状、テーパ形状、またはそれらの組み合わせ等の任意の形状が可能である。
【００１６】
なお、羽根の形状は変化可能である（例えば、伸縮、折りたたみ、折り曲げ等）。羽根は対称的（同一の上部及び下部表面を有する）または非対称的（異なる形状の上部及び下部表面を有する）であってもよい。
【００１７】
ブレードはエアホイル、ウイング、または羽根が空中を移動される時に動的空気力（例えば、揚力、推力）を生成するために好適な幾何学形状に形成可能である。羽根の幾何学形状は、揚力及び推力を増加させ、抗力を削減する等の、羽根の動的空気特性を最適化するために適宜選択可能である。
【００１８】
モータ１０は、プロペラ２の回転を生じさせるものであり、例えば、駆動ユニットは、電気モータ又はエンジン等を含むことが可能である。ブレードは、モータによって駆動可能であり、時計方向に及び／または反時計方向に、モータの回転軸１２（例えば、モータの長軸）の周りに回転する。
【００１９】
ブレードは、すべて同一方向に回転可能であるし、独立して回転することも可能である。羽根のいくつかは一方の方向に回転し、他の羽根は他方方向に回転する。羽根は、同一回転数ですべて回転することも可能であり、夫々異なる回転数で回転することも可能である。回転数は移動体の寸法（例えば、大きさ、重さ）や制御状態（速さ、移動方向等）に基づいて自動又は手動により定めることができる。
【００２０】
回転翼機２００の飛行時において、固定ピッチブレードのみを備えていた場合、上昇気流発生時の垂直下降などの際、姿勢を保つための最低限のプロペラ回転数を下回り、回転翼機の姿勢が乱れる、あるいは落下することがある。特許文献１では、これに対応するため、回転翼機の飛行に可変ピッチブレードを用いている。可変ピッチブレードを用いる際、固定ピッチプロペラと比較して構造が複雑であることから、故障率は高くなり、飛行効率は悪化する。
【００２１】
しかしながら、本実施のプロペラ形態においては、固定ピッチブレード２０と可変ピッチブレード３０を両方備えることにより、飛行効率を向上し得る。
【００２２】
プロペラ２が備えるブレードにおいて、固定ピッチブレード２０と、可変ピッチブレード３０の数は、同一でもよい。なぜなら、固定ピッチブレード２０と、可変ピッチブレード３０の大きさや重量が大きく異なる場合でも、モータ部品１全体のバランスをとることが容易となる効果がある。モータ部品１全体のバランスをとることは、モータ部品１を備える飛行体が不都合なく飛行するために重要であり、また、飛行時の振動を防ぎ、飛行体の運用において好適な効果を得ることが可能である。
【００２３】
プロペラ２が備えるブレードにおいて、固定ピッチブレード２０と、可変ピッチブレード３０の数は、異なっていてもよい。固定ピッチブレード２０の数が、前記可変ピッチブレード３０の数よりも多い場合、飛行効率のよい固定ピッチブレードにより回転翼機２００の飛行時における燃費が向上するとともに、可変ピッチブレードによりトルクの不均衡にともなう姿勢の変化が低減される。
【００２４】
また、固定ピッチブレード２０の数が、前記可変ピッチブレードの数３０よりも少ない場合、従来可変ピッチブレードのみを備えたプロペラでなければ対応できなかった乱流、上昇気流などを想定した運用を可能にし、かつ、ピッチ制御モータ３２や制御３４などの可変ピッチ機構に障害が発生した際の信頼性を確保する。
【００２５】
以上説明したように、プロペラ２は、少なくとも1翅の固定ピッチブレード２０と、少なくとも1翅の可変ピッチブレード３０を備えていればよい。固定ピッチブレード２０と可変ピッチブレード３０との数、割合、個々のブレードの大きさ、配置については、所望とする用途や目的に応じて適宜最適なものを採用することができる。
【００２６】
なお、推力の調整は、同一のモータを使いつつプロペラのダイヤを変えること、同一のプロペラを使用しつつ低出力のモータと高出力のモータとを区別して用いることとしてもよい。また、プロペラのピッチを変更することとしてもよいし、ブレードの枚数を変更する等が例示できる。
【００２７】
上述した回転翼機は、図７に示される機能ブロックを有している。なお、図１０の機能ブロックは最低限の参考構成である。フライトコントローラは、所謂処理ユニットである。処理ユニットは、プログラマブルプロセッサ（例えば、中央処理ユニット（ＣＰＵ））などの１つ以上のプロセッサを有することができる。処理ユニットは、図示しないメモリを有しており、当該メモリにアクセス可能である。メモリは、１つ以上のステップを行うために処理ユニットが実行可能であるロジック、コード、および／またはプログラム命令を記憶している。メモリは、例えば、ＳＤカードやランダムアクセスメモリ（ＲＡＭ）などの分離可能な媒体または外部の記憶装置を含んでいてもよい。カメラやセンサ類から取得したデータは、メモリに直接に伝達されかつ記憶されてもよい。例えば、カメラ等で撮影した静止画・動画データが内蔵メモリ又は外部メモリに記録される。
【００２８】
処理ユニットは、回転翼機の状態を制御するように構成された制御モジュールを含んでいる。例えば、制御モジュールは、６自由度（並進運動ｘ、ｙ及びｚ、並びに回転運動θｘ、θｙ及びθｚ）を有する回転翼機の空間的配置、速度、および／または加速度を調整するために回転翼機の推進機構（モータ等）を制御する。制御モジュールは、搭載部、センサ類の状態のうちの１つ以上を制御することができる。
【００２９】
処理ユニットは、１つ以上の外部のデバイス（例えば、端末、表示装置、または他の遠隔の制御器）からのデータを送信および／または受け取るように構成された送受信部と通信可能である。送受信機は、有線通信または無線通信などの任意の適当な通信手段を使用することができる。例えば、送受信部は、ローカルエリアネットワーク（ＬＡＮ）、ワイドエリアネットワーク（ＷＡＮ）、赤外線、無線、ＷｉＦｉ、ポイントツーポイント（Ｐ２Ｐ）ネットワーク、電気通信ネットワーク、クラウド通信などのうちの１つ以上を利用することができる。送受信部は、センサ類で取得したデータ、処理ユニットが生成した処理結果、所定の制御データ、端末または遠隔の制御器からのユーザコマンドなどのうちの１つ以上を送信および／または受け取ることができる。
【００３０】
本実施の形態によるセンサ類は、慣性センサ（加速度センサ、ジャイロセンサ）、ＧＰＳセンサ、近接センサ（例えば、ライダー）、またはビジョン／イメージセンサ（例えば、カメラ）を含み得る。
【００３１】
本発明の回転翼機は、宅配業務専用の回転翼機としての利用、及び倉庫、工場内における産業用の回転翼機としての利用が期待できる。また、本発明の回転翼機は、マルチコプター・ドローン等の飛行機関連産業において利用することができ、さらに、本発明は、カメラ等を搭載した空撮用の回転翼機としても好適に使用することができる他、セキュリティ分野、農業、インフラ監視等の様々な産業にも利用することができる。
【００３２】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００３３】
１        モータ部品
２        プロペラ
１０        モータ
１２        軸
２０        固定ピッチブレード
３０        可変ピッチブレード
３２        ピッチ制御モータ
３４        制御ロッド
１００        本体部
１２０        アーム
２００        回転翼機
【図１】
2020040664.tif 000003
【図２】
2020040664.tif 000004
【図３】
2020040664.tif 000005
【図４】
2020040664.tif 000006
【図５】
2020040664.tif 000007
【図６】
2020040664.tif 000008
【図７】
2020040664.tif 000009